【手続補正書】
【提出日】平成21年3月23日(2009.3.23)
【手続補正１】
【補正対象書類名】特許請求の範囲
【補正対象項目名】全文
【補正方法】変更
【補正の内容】
【特許請求の範囲】
【請求項１】
装着された記録媒体に記録されているデータを読み出す読み出し手段と、
各種データを記憶する記憶手段と、
装着された第１の記録媒体に記録されている第１のデータ群、および、前記記憶手段により記憶されている第２のデータ群が、前記第１の記録媒体とは異なる第２の記録媒体に記録される場合のディレクトリ構造の設定を制御する制御手段と
を備え、
前記制御手段は、
前記第１の記録媒体に記録されている前記第１のデータ群のディレクトリ構造を検出する第１の検出手段と、
前記記憶手段により記憶されている前記第２のデータ群のディレクトリ構造を検出する第２の検出手段と、
前記読み出し手段により前記第１の記録媒体から読み出される前記第１のデータ群、および、前記記憶手段により記憶されている前記第２のデータ群を、前記第２の記録媒体へ記録する場合のディレクトリ構造を設定する設定手段と
を備え、
前記設定手段は、前記第１の検出手段により検出された第１のデータ群のディレクトリ構造を維持して第１のディレクトリを設定し、前記第１のディレクトリと並列して第２のディレクトリを設定して、前記第２のディレクトリに、前記第２の検出手段により検出された前記第２のデータ群のディレクトリ構造が含まれるように、前記第２の記録媒体におけるディレクトリ構造を設定する
情報処理装置。
【請求項２】
装着されている前記第２の記録媒体へ、前記制御手段により前記ディレクトリ構造の設定が制御された前記第１のデータ群および前記第２のデータ群を記録する記録手段を更に備える
請求項１に記載の情報処理装置。
【請求項３】
前記読み出し手段は、前記第１の記録媒体から、前記第１の記録媒体を固有に区別するために用いられる識別情報を更に読み出し、
前記記録手段は、前記読み出し手段により読み出された前記識別情報を、前記第２の記録媒体に更に記録する
請求項２に記載の情報処理装置。
【請求項４】
装着された第１の記録媒体に記録されている第１のデータ群、および、記憶部に記憶されている第２のデータ群が、第２の記録媒体に記録される場合のデータのディレクトリ構造を設定する情報処理装置の情報処理方法において、
装着された前記第１の記録媒体に記録されている前記第１のデータ群のディレクトリ構造が維持された第１のディレクトリを設定し、
前記第１のディレクトリと並列して、前記第２の記録媒体に記録されているデータを再生する装置内部の記録部にコピーされるデータが記録される第２のディレクトリを設定し、
前記第２のディレクトリには、前記記憶部から読み出された前記第２のデータ群が含まれるように、前記ディレクトリ構造を設定する
ステップを含む情報処理方法。
【請求項５】
装着された第１の記録媒体に記録されている第１のデータ群、および、記憶部に記憶されている第２のデータ群が、第２の記録媒体に記録される場合のデータのディレクトリ構造を設定する処理をコンピュータに実行させるためのプログラムであって、
装着された前記第１の記録媒体に記録されている前記第１のデータ群のディレクトリ構造が維持された第１のディレクトリを設定し、
前記第１のディレクトリと並列して、前記第２の記録媒体に記録されているデータを再生する装置内部の記録部にコピーされるデータが記録される第２のディレクトリを設定し、
前記第２のディレクトリには、前記記憶部から読み出された前記第２のデータ群が含まれるように、前記ディレクトリ構造を設定する
ステップを含む処理をコンピュータに実行させるためのプログラムが記録されているプログラム格納媒体。
【請求項６】
第１のデータ群が記録されている記録媒体に、更に、第２のデータ群を記録する情報処理装置において、
前記第２のデータ群を取得する取得手段と、
前記記録媒体に記録されている前記第１のデータ群のディレクトリ構造を検出する第１の検出手段と、
前記取得手段により取得された前記第２のデータ群のディレクトリ構造を検出する第２の検出手段と、
前記記録媒体に前記第１のデータ群および前記第２のデータ群が記録される場合のディレクトリ構造を設定する設定手段と、
前記設定手段により設定される前記ディレクトリ構造に基づいて、前記記録媒体への前記第２のデータ群の記録を制御する記録制御手段と
を備え、
前記設定手段は、前記第１の検出手段により検出された第１のデータ群のディレクトリ構造を維持して第１のディレクトリを設定し、前記第１のディレクトリと並列して第２のディレクトリを設定して、前記第２のディレクトリに、前記第２の検出手段により検出された前記第２のデータ群のディレクトリ構造が含まれるように、前記第１のデータ群および前記第２のデータ群が記録される場合の前記記録媒体のディレクトリ構造を設定する
情報処理装置。
【請求項７】
第１のデータ群が記録されている記録媒体に、更に、第２のデータ群を記録する情報処理装置の情報処理方法において、
前記第２のデータ群を取得し、
前記記録媒体に記録されている前記第１のデータ群の第１のディレクトリに並列して、前記記録媒体に記録されているデータを再生する装置内部の記録部にコピーされるデータが記録される第２のディレクトリを設定し、
前記第２のディレクトリに前記第２のデータ群を記録する
ステップを含む情報処理方法。
【請求項８】
第１のデータ群が記録されている記録媒体に、更に、第２のデータ群を記録する処理をコンピュータに実行させるためのプログラムであって、
前記第２のデータ群を取得し、
前記記録媒体に記録されている前記第１のデータ群の第１のディレクトリに並列して、前記記録媒体に記録されているデータを再生する装置内部の記録部にコピーされるデータが記録される第２のディレクトリを設定し、
前記第２のディレクトリに前記第２のデータ群を記録する
ステップを含む処理をコンピュータに実行させるためのプログラムが記録されているプログラム格納媒体。
【請求項９】
所定の記録媒体に第１のデータ群および第２のデータ群が記録される場合のディレクトリ構造を設定する情報処理装置において、
前記第１のデータ群を取得する第１の取得手段と、
前記第２のデータ群を取得する第２の取得手段と、
前記第１の取得手段により取得された前記第１のデータ群のディレクトリ構造を検出する第１の検出手段と、
前記第２の取得手段により取得された前記第２のデータ群のディレクトリ構造を検出する第２の検出手段と、
前記所定の記録媒体に前記第１のデータ群および前記第２のデータ群が記録される場合のディレクトリ構造を設定する設定手段と
を備え、
前記設定手段は、前記第１の検出手段により検出された第１のデータ群のディレクトリ構造を維持して第１のディレクトリを設定し、前記第１のディレクトリと並列して第２のディレクトリを設定して、前記第２のディレクトリに、前記第２の検出手段により検出された前記第２のデータ群のディレクトリ構造が含まれるように、前記所定の記録媒体への記録におけるディレクトリ構造を設定する
情報処理装置。
【請求項１０】
所定の記録媒体に第１のデータ群および第２のデータ群が記録される場合のディレクトリ構造を設定する情報処理装置の情報処理方法において、
前記第１のデータ群を取得し、
前記第２のデータ群を取得し、
前記第１のデータ群のディレクトリ構造を維持した第１のディレクトリを設定し、更に、前記第１のディレクトリと並列して、前記記録媒体に記録されているデータを再生する装置内部の記録部にコピーされる前記第２のデータ群が記録される第２のディレクトリを設定する
ステップを含む情報処理方法。
【請求項１１】
所定の記録媒体に第１のデータ群および第２のデータ群が記録される場合のディレクトリ構造を設定する処理をコンピュータに実行させるためのプログラムであって、
前記第１のデータ群を取得し、
前記第２のデータ群を取得し、
前記第１のデータ群のディレクトリ構造を維持した第１のディレクトリを設定し、更に、前記第１のディレクトリと並列して、前記記録媒体に記録されているデータを再生する装置内部の記録部にコピーされる前記第２のデータ群が記録される第２のディレクトリを設定する
ステップを含む処理をコンピュータに実行させるためのプログラムが記録されているプログラム格納媒体。
【請求項１２】
装着された記録媒体に記録されているデータを再生する情報処理装置において、
装着された前記記録媒体に記録されている前記データを読み出す読み出し手段と、
各種データを記憶する記憶手段と、
前記記録媒体に記録されているデータ、および、前記記憶手段により記憶されているデータを再生する再生手段と、
前記読み出し手段、前記記憶手段、および、前記再生手段の処理を制御する制御手段と
を備え、
前記記録媒体には、少なくとも第１のデータ群が第１のディレクトリに含まれるように記録されているとともに、必要に応じて、第２のデータ群およびファイル管理情報が、前記第１のディレクトリとは区別可能な第２のディレクトリに含まれるように記録されており、
前記ファイル管理情報は、前記第２のデータ群が前記記憶手段に記憶される場合のファイルシステムにおけるそれぞれのファイルのパスを示す第１の情報と、前記第２のデータ群の仮想的なファイルシステムにおけるそれぞれのファイルのパスを示す第２の情報とを含み、
前記制御手段は、
前記記録媒体に前記第２のディレクトリが記録されている場合、前記第２のディレクトリに含まれるデータの、前記記憶手段への記憶を制御する記憶制御手段と、
前記記録媒体に記録されている前記第１のデータ群の第１のディレクトリ構造を検出する検出手段と、
前記検出手段により検出される前記第１のデータ群のディレクトリ構造、および、前記記憶制御手段の処理により前記憶手段への記憶が制御された前記ファイル管理情報に基づいて、前記第１のデータ群および前記第２のデータ群のそれぞれの少なくとも一部を含む前記仮想的なファイルシステムを生成する仮想ファイルシステム生成手段と、
前記仮想ファイルシステム生成手段により生成された前記仮想的なファイルシステムに基づいて、前記読み出し手段により読み出された前記第１のデータ群、および、前記記憶制御手段により前記記憶手段への記憶が制御された前記第２のデータ群の再生を制御する再生制御手段と
を備える
情報処理装置。
【請求項１３】
装着された記録媒体に記録されているデータを再生する情報処理装置の情報処理方法において、
前記記録媒体に、第１のデータ群が記録されている第１のディレクトリとは異なるディレクトリであって、第２のデータ群およびファイル管理情報が記録されている第２のディレクトリを用いてデータが記録されているか否かを判断し、
前記第２のディレクトリを用いてデータが記録されていると判断された場合、前記第２のディレクトリに含まれるデータの、内部の記憶部への記憶が制御され、
前記ファイル管理情報に含まれる、前記第２のデータ群が前記記憶部に記憶される場合のファイルシステムにおけるそれぞれのファイルのパスを示す第１の情報、および、前記第２のデータ群の仮想的なファイルシステムにおけるそれぞれのファイルのパスを示す第２の情報と、前記第１のディレクトリのディレクトリ構造とに基づいて、前記第１のデータ群および前記第２のデータ群のそれぞれの少なくとも一部を含む前記仮想的なファイルシステムを生成し、
前記仮想的なファイルシステムに基づいて、前記第１のデータ群、および、前記記憶部への記憶が制御された前記第２のデータ群を再生する
ステップを含む情報処理方法。
【請求項１４】
装着された記録媒体に記録されているデータを再生する処理をコンピュータに実行させるためのプログラムであって、
前記記録媒体に、第１のデータ群が記録されている第１のディレクトリとは異なるディレクトリであって、第２のデータ群およびファイル管理情報が記録されている第２のディレクトリを用いてデータが記録されているか否かを判断し、
前記第２のディレクトリを用いてデータが記録されていると判断された場合、前記第２のディレクトリに含まれるデータの、内部の記憶部への記憶が制御され、
前記ファイル管理情報に含まれる、前記第２のデータ群が前記記憶部に記憶される場合のファイルシステムにおけるそれぞれのファイルのパスを示す第１の情報、および、前記第２のデータ群の仮想的なファイルシステムにおけるそれぞれのファイルのパスを示す第２の情報と、前記第１のディレクトリのディレクトリ構造とに基づいて、前記第１のデータ群および前記第２のデータ群のそれぞれの少なくとも一部を含む前記仮想的なファイルシステムを生成し、
前記仮想的なファイルシステムに基づいて、前記第１のデータ群、および、前記記憶部への記憶が制御された前記第２のデータ群を再生する
ステップを含む処理をコンピュータに実行させるためのプログラムが記録されているプログラム格納媒体。
【請求項１５】
装着された記録媒体に記録されているデータを再生する情報処理装置において、
装着された前記記録媒体に記録されている前記データを読み出す読み出し手段と、
前記記録媒体に記録されているデータを再生する再生手段と、
前記読み出し手段および前記再生手段の処理を制御する制御手段と
を備え、
前記記録媒体には、少なくとも第１のデータ群が第１のディレクトリに含まれるように記録されているとともに、必要に応じて、第２のデータ群、および第１のファイル管理情報が前記第１のディレクトリとは区別可能な第２のディレクトリに含まれるように記録されており、
前記第１のファイル管理情報は、前記記録媒体に記録されている前記第２のデータ群のそれぞれのファイルの前記第２のディレクトリ以下のパスを示す第１の情報と、前記第２のデータ群の仮想的なファイルシステムにおけるそれぞれのファイルのパスを示す第２の情報とを含み、
前記制御手段は、
前記記録媒体に記録されている前記第１のデータ群の第１のディレクトリ構造を検出する第１の検出手段と、
前記記録媒体に前記第２のディレクトリが記録されている場合、前記第１の検出手段により検出される前記第１のデータ群のディレクトリ構造、および、前記記録媒体に記録されている前記第１のファイル管理情報に基づいて、前記第１のデータ群および前記第２のデータ群のそれぞれの少なくとも一部を含む第１の仮想的なファイルシステムを生成する仮想ファイルシステム生成手段と、
前記仮想ファイルシステム生成手段により生成された前記第１の仮想的なファイルシステムに基づいて、前記第１のデータ群、および、前記第２のデータ群の再生を制御する
再生制御手段と
を備える
情報処理装置。
【請求項１６】
装着された記録媒体に記録されているデータを再生する情報処理装置の情報処理方法において、
前記記録媒体に、第１のデータ群が記録されている第１のディレクトリとは異なるディレクトリであって、第２のデータ群およびファイル管理情報が記録されている第２のディレクトリを用いてデータが記録されているか否かを判断し、
前記第２のディレクトリを用いてデータが記録されていると判断された場合、前記ファイル管理情報に含まれる、前記記録媒体に記録されている前記第２のデータ群のそれぞれのファイルの前記第２のディレクトリ以下のパスを示す第１の情報、および、前記第２のデータ群の仮想的なファイルシステムにおけるそれぞれのファイルのパスを示す第２の情報と、前記第１のディレクトリのディレクトリ構造とに基づいて、前記第１のデータ群および前記第２のデータ群のそれぞれの少なくとも一部を含む前記仮想的なファイルシステムを生成し、
前記仮想的なファイルシステムに基づいて、前記第１のデータ群、および、前記第２のデータ群を再生する
ステップを含む情報処理方法。
【請求項１７】
装着された記録媒体に記録されているデータを再生する処理をコンピュータに実行させるためのプログラムであって、
前記記録媒体に、第１のデータ群が記録されている第１のディレクトリとは異なるディレクトリであって、第２のデータ群およびファイル管理情報が記録されている第２のディレクトリを用いてデータが記録されているか否かを判断し、
前記第２のディレクトリを用いてデータが記録されていると判断された場合、前記ファイル管理情報に含まれる、前記記録媒体に記録されている前記第２のデータ群のそれぞれのファイルの前記第２のディレクトリ以下のパスを示す第１の情報、および、前記第２のデータ群の仮想的なファイルシステムにおけるそれぞれのファイルのパスを示す第２の情報と、前記第１のディレクトリのディレクトリ構造とに基づいて、前記第１のデータ群および前記第２のデータ群のそれぞれの少なくとも一部を含む前記仮想的なファイルシステムを生成し、
前記仮想的なファイルシステムに基づいて、前記第１のデータ群、および、前記第２のデータ群を再生する
ステップを含む処理をコンピュータに実行させるためのプログラムが記録されているプログラム格納媒体。
【請求項１８】
情報処理装置に供給されるデータのデータ構造であって、
第１のデータ群は、第１のディレクトリに含まれ、
第２のデータ群およびファイル管理情報は、前記第１のディレクトリとは区別可能な第２のディレクトリに含まれ、
前記ファイル管理情報は、前記第２のデータ群が、前記情報処理装置が有する記録部に記憶される場合のファイルシステムにおけるそれぞれのファイルのパスを示す第１の情報と、前記第１のデータ群および前記第２のデータ群のそれぞれの少なくとも一部を含むファイルシステムであって、前記情報処理装置において、前記第１のデータ群および前記第２のデータ群が再生される場合に参照される仮想的なファイルシステムにおける前記第２のデータ群のそれぞれのファイルのパスを示す第２の情報とを含む
データ構造。
【請求項１９】
情報処理装置に供給されるデータが記録される記録媒体の製造方法であって、
第１のデータ群は、第１のディレクトリに含まれ、
第２のデータ群およびファイル管理情報は、前記第１のディレクトリとは区別可能な第２のディレクトリに含まれ、
前記ファイル管理情報は、前記第２のデータ群が、前記情報処理装置が有する記録部に記憶される場合のファイルシステムにおけるそれぞれのファイルのパスを示す第１の情報と、前記第１のデータ群および前記第２のデータ群のそれぞれの少なくとも一部を含むファイルシステムであって、前記情報処理装置において、前記第１のデータ群および前記第２のデータ群が再生される場合に参照される仮想的なファイルシステムにおける前記第２のデータ群のそれぞれのファイルのパスを示す第２の情報とを含む
データ構造を有する、前記情報処理装置に供給される前記データを生成し、
生成された前記データを前記記録媒体に記録する
ステップを含む記録媒体の製造方法。
【手続補正２】
【補正対象書類名】明細書
【補正対象項目名】発明の名称
【補正方法】変更
【補正の内容】
【発明の名称】情報処理装置、情報処理方法、プログラム格納媒体、データ構造、および記録媒体の製造方法
【手続補正３】
【補正対象書類名】明細書
【補正対象項目名】０００１
【補正方法】変更
【補正の内容】
【０００１】
本発明は、情報処理装置、情報処理方法、プログラム格納媒体、データ構造、および記録媒体の製造方法に関し、特に、記録媒体に、例えば、コンテンツなどの各種データを記録して、ユーザに提供する場合に用いて好適な、情報処理装置、情報処理方法、プログラム格納媒体、データ構造、および記録媒体の製造方法に関する。
【手続補正４】
【補正対象書類名】明細書
【補正対象項目名】００１１
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】変更
【補正の内容】
【００１８】
本発明の第１の側面の情報処理方法およびプログラム格納媒体に記録されているプログラムを用いて実行される処理は、装着された第１の記録媒体に記録されている第１のデータ群、および、記憶部に記憶されている第２のデータ群が、第２の記録媒体に記録される場合のデータのディレクトリ構造を設定するためのものであって、装着された前記第１の記録媒体に記録されている前記第１のデータ群のディレクトリ構造が維持された第１のディレクトリを設定し、前記第１のディレクトリと並列して、前記第２の記録媒体に記録されているデータを再生する装置内部の記録部にコピーされるデータが記録される第２のディレクトリを設定し、前記第２のディレクトリには、前記記憶部から読み出された前記第２のデータ群が含まれるように、前記ディレクトリ構造を設定するステップを含む。
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】変更
【補正の内容】
【００２３】
本発明の第２の側面の情報処理方法およびプログラム格納媒体に記録されているプログラムを用いて実行される処理は、第１のデータ群が記録されている記録媒体に、更に、第２のデータ群を記録するためのものであって、前記第２のデータ群を取得し、前記記録媒体に記録されている前記第１のデータ群の第１のディレクトリに並列して、前記記録媒体に記録されているデータを再生する装置内部の記録部にコピーされるデータが記録される第２のディレクトリを設定し、前記第２のディレクトリに前記第２のデータ群を記録するステップを含む。
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】変更
【補正の内容】
【００２８】
本発明の第３の側面の情報処理方法およびプログラム格納媒体に記録されているプログラムを用いて実行される処理は、所定の記録媒体に第１のデータ群および第２のデータ群が記録される場合のディレクトリ構造を設定するためのものであって、前記第１のデータ群を取得し、前記第２のデータ群を取得し、前記第１のデータ群のディレクトリ構造を維持した第１のディレクトリを設定し、更に、前記第１のディレクトリと並列して、前記記録媒体に記録されているデータを再生する装置内部の記録部にコピーされる前記第２のデータ群が記録される第２のディレクトリを設定するステップを含む。
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】変更
【補正の内容】
【００３２】
本発明の第４の側面の情報処理方法およびプログラム格納媒体に記録されているプログラムを用いて実行される処理は、装着された記録媒体に記録されているデータを再生するためのものであって、前記記録媒体に、第１のデータ群が記録されている第１のディレクトリとは異なるディレクトリであって、第２のデータ群およびファイル管理情報が記録されている第２のディレクトリを用いてデータが記録されているか否かを判断し、前記第２のディレクトリを用いてデータが記録されていると判断された場合、前記第２のディレクトリに含まれるデータの、内部の記憶部への記憶が制御され、前記ファイル管理情報に含まれる、前記第２のデータ群が前記記憶部に記憶される場合のファイルシステムにおけるそれぞれのファイルのパスを示す第１の情報、および、前記第２のデータ群の仮想的なファイルシステムにおけるそれぞれのファイルのパスを示す第２の情報と、前記第１のディレクトリのディレクトリ構造とに基づいて、前記第１のデータ群および前記第２のデータ群のそれぞれの少なくとも一部を含む前記仮想的なファイルシステムを生成し、前記仮想的なファイルシステムに基づいて、前記第１のデータ群、および、前記記憶部への記憶が制御された前記第２のデータ群を再生するステップを含む。
【手続補正１８】
【補正対象書類名】明細書
【補正対象項目名】００３５
【補正方法】削除
【補正の内容】
【手続補正１９】
【補正対象書類名】明細書
【補正対象項目名】００３６
【補正方法】変更
【補正の内容】
【００３６】
本発明の第５の側面の情報処理方法およびプログラム格納媒体に記録されているプログラムを用いて実行される処理は、装着された記録媒体に記録されているデータを再生するためのものであって、前記記録媒体に、第１のデータ群が記録されている第１のディレクトリとは異なるディレクトリであって、第２のデータ群およびファイル管理情報が記録されている第２のディレクトリを用いてデータが記録されているか否かを判断し、前記第２のディレクトリを用いてデータが記録されていると判断された場合、前記ファイル管理情報に含まれる、前記記録媒体に記録されている前記第２のデータ群のそれぞれのファイルの前記第２のディレクトリ以下のパスを示す第１の情報、および、前記第２のデータ群の仮想的なファイルシステムにおけるそれぞれのファイルのパスを示す第２の情報と、前記第１のディレクトリのディレクトリ構造とに基づいて、前記第１のデータ群および前記第２のデータ群のそれぞれの少なくとも一部を含む前記仮想的なファイルシステムを生成し、前記仮想的なファイルシステムに基づいて、前記第１のデータ群、および、前記第２のデータ群を再生するステップを含む。
【手続補正２０】
【補正対象書類名】明細書
【補正対象項目名】００３９
【補正方法】変更
【補正の内容】
【００３９】
本発明の第６の側面の記録媒体の製造方法は、情報処理装置に供給されるデータが記録される記録媒体の製造方法であって、第１のデータ群は、第１のディレクトリに含まれ、第２のデータ群およびファイル管理情報は、前記第１のディレクトリとは区別可能な第２のディレクトリに含まれ、前記ファイル管理情報は、前記第２のデータ群が、前記情報処理装置が有する記録部に記憶される場合のファイルシステムにおけるそれぞれのファイルのパスを示す第１の情報と、前記第１のデータ群および前記第２のデータ群のそれぞれの少なくとも一部を含むファイルシステムであって、前記情報処理装置において、前記第１のデータ群および前記第２のデータ群が再生される場合に参照される仮想的なファイルシステムにおける前記第２のデータ群のそれぞれのファイルのパスを示す第２の情報とを含むデータ構造を有する、前記情報処理装置に供給される前記データを生成し、生成された前記データを前記記録媒体に記録するステップを含む。
【手続補正２１】
【補正対象書類名】明細書
【補正対象項目名】００５２
【補正方法】削除
【補正の内容】
【手続補正２２】
【補正対象書類名】明細書
【補正対象項目名】００５５
【補正方法】削除
【補正の内容】
【手続補正２３】
【補正対象書類名】明細書
【補正対象項目名】００５６
【補正方法】削除
【補正の内容】
【手続補正２４】
【補正対象書類名】明細書
【補正対象項目名】００５７
【補正方法】削除
【補正の内容】
【手続補正２５】
【補正対象書類名】明細書
【補正対象項目名】００５８
【補正方法】削除
【補正の内容】
【手続補正２６】
【補正対象書類名】明細書
【補正対象項目名】００６１
【補正方法】削除
【補正の内容】
【手続補正２７】
【補正対象書類名】明細書
【補正対象項目名】００６２
【補正方法】削除
【補正の内容】
【手続補正２８】
【補正対象書類名】明細書
【補正対象項目名】００６５
【補正方法】削除
【補正の内容】
【手続補正２９】
【補正対象書類名】明細書
【補正対象項目名】００６６
【補正方法】削除
【補正の内容】
【手続補正３０】
【補正対象書類名】明細書
【補正対象項目名】００６９
【補正方法】削除
【補正の内容】
【手続補正３１】
【補正対象書類名】明細書
【補正対象項目名】００７２
【補正方法】削除
【補正の内容】
【手続補正３２】
【補正対象書類名】明細書
【補正対象項目名】０１２４
【補正方法】変更
【補正の内容】
【０１２４】
メニュー画面表示制御部３１は、光ディスク１１または光ディスク２８に記録されているコンテンツの音声、または字幕の言語や、映像のアングルを選択するときにユーザにより操作されるボタンや、ダウンロードするアップデートファイルや、削除されるファイルを選択するときにユーザにより操作されるボタンなどを含むメニュー画面を外部の表示装置に表示させる。
【手続補正３３】
【補正対象書類名】明細書
【補正対象項目名】０１２５
【補正方法】変更
【補正の内容】
【０１２５】
操作入力取得部３２は、操作入力部２９から入力された、ユーザからの操作入力を示す信号を取得し、ユーザからの操作入力を示す信号を、メニュー画面表示制御部３１、データ取得部３３、ローカルストレージディレクトリ管理部３４、または、再生制御部３７のうちの対応する箇所に出力する。
【手続補正３４】
【補正対象書類名】明細書
【補正対象項目名】０１２６
【補正方法】変更
【補正の内容】
【０１２６】
データ取得部３３は、図１のインターネットインタフェース２５において行われる通信、または、第２のドライブ２７によるリムーバブルメディア２９との情報の授受を制御する。例えば、データ取得部３３は、ユーザが指示したアップデートファイルをサーバ３からダウンロードして取得し、取得したファイルをローカルストレージディレクトリ管理部３４に出力する。また、データ取得部３３は、後述するファイルシステムマージ処理部３６により、必要なファイルを示す情報の供給を受け、必要なファイルを、サーバ３からダウンロードして取得し、取得したファイルをローカルストレージディレクトリ管理部３４に出力する。
【手続補正３５】
【補正対象書類名】明細書
【補正対象項目名】０１２７
【補正方法】変更
【補正の内容】
【０１２７】
ローカルストレージディレクトリ管理部３４は、ローカルストレージ２４のディレクトリを管理し、ローカルストレージ２４に対するデータの書き込み、および、ローカルストレージ２４からのデータの読み出し、並びに、ローカルストレージ２４からのデータの削除を制御する。例えば、ローカルストレージディレクトリ管理部３４の制御によりローカルストレージ２４から読み出されたPlayListは、メモリ２３に出力され、ローカルストレージ２４から読み出されたＡＶストリームの音声データおよび映像データやテキスト字幕ファイルのテキストデータは、デコーダ２６に出力される。また、ローカルストレージディレクトリ管理部３４は、ファイルシステムマージ処理部３６により、光ディスク１１または光ディスク２８のファイルシステムと、ローカルストレージ２４のファイルシステムとのマージが行われる場合、ローカルストレージ２４のファイルシステムに関する情報をファイルシステムマージ処理部３６に出力する。
【手続補正３６】
【補正対象書類名】明細書
【補正対象項目名】０１２８
【補正方法】変更
【補正の内容】
【０１２８】
光ディスクディレクトリ管理部３５は、光ディスク１１または光ディスク２８のディレクトリを検出して管理し、光ディスク１１または光ディスク２８からの各データの読み出しを制御する。光ディスク１１には識別情報であるauthor_idとdisc_idが設定されており、光ディスク２８にも、データのコピー元の光ディスク１１のauthor_idとdisc_idが識別情報として記録される。光ディスクディレクトリ管理部３５の制御により、光ディスク１１または光ディスク２８から読み出されたauthor_idとdisc_idは、データ取得部３３、および、ローカルストレージディレクトリ管理部３４に出力される。また、光ディスクディレクトリ管理部３５の制御により、光ディスク１１または光ディスク２８から読み出されたPlayListは、メモリ２３に出力され、光ディスク１１または光ディスク２８から読み出されたＡＶストリームの音声データおよび映像データやテキスト字幕ファイルのテキストデータは、デコーダ２６に出力される。また、光ディスクディレクトリ管理部３５は、ファイルシステムマージ処理部３６により、光ディスク１１または光ディスク２８のファイルシステムと、ローカルストレージ２４のファイルシステムとのマージが行われる場合、光ディスク１１または光ディスク２８のファイルシステムに関する情報をファイルシステムマージ処理部３６に出力する。author_idとdisc_idについては、後述する。
【手続補正３７】
【補正対象書類名】明細書
【補正対象項目名】０１２９
【補正方法】変更
【補正の内容】
【０１２９】
ファイルシステムマージ処理部３６は、光ディスクディレクトリ管理部３５から供給される光ディスク１１または光ディスク２８のファイルシステムと、ローカルストレージディレクトリ管理部３４から供給されるローカルストレージ２４のファイルシステムをマージし、１つの仮想的なファイルシステムを生成する。ファイルシステムマージ処理部３６は、マージすることで生成した仮想的なファイルシステムを再生制御部３７に出力する。
【手続補正３８】
【補正対象書類名】明細書
【補正対象項目名】０１３１
【補正方法】変更
【補正の内容】
【０１３１】
更に、ファイルシステムマージ処理部３６は、ローカルストレージ２４に記録されているいくつかのファイルが削除されたことにより、例えば、仮想ファイルシステムにおいて、いずれのPlayListによっても再生されない（全てのPlayListによって指定されない）ファイルが発生した場合、このような不必要なファイルを削除することをローカルストレージディレクトリ管理部３４に指令することができる。
【手続補正３９】
【補正対象書類名】明細書
【補正対象項目名】０１３３
【補正方法】変更
【補正の内容】
【０１３３】
再生制御部３７は、ファイルシステムマージ処理部３６から供給される仮想ファイルシステムで指定されるナビゲーションプログラムを実行し、コンテンツの再生を制御する。具体的には、再生制御部３７は、メモリ２３に供給され、記憶されたPlayListを参照し、ローカルストレージディレクトリ管理部３４または光ディスクディレクトリ管理部３５を制御して、光ディスク１１もしくは光ディスク２８、または、ローカルストレージ２４に記録されているＡＶストリームの音声データ、映像データ、および、必要に応じてテキスト字幕ファイルのテキストデータを、仮想ファイルシステムに基づいて読み出させ、図１のデコーダ２６を制御して、光ディスク１１もしくは光ディスク２８、または、ローカルストレージ２４に記録されているＡＶストリームの音声データ、映像データ、および、必要に応じてテキスト字幕ファイルのテキストデータのデコード（再生）を行わせる。
【手続補正４０】
【補正対象書類名】明細書
【補正対象項目名】０１４３
【補正方法】変更
【補正の内容】
【０１４３】
ローカルストレージ２４のファイル／ディレクトリ構造において、ディレクトリを分割するauthor_idは、対応する光ディスクにおける仮想ファイルシステムの構築に用いるための識別子であり、disc_idは、同一のauthor_idに対応付けられるそれぞれのコンテンツを識別するための識別子であり、author_idと同様に、対応する光ディスクにおける仮想ファイルシステムの構築に用いられる。author_idおよびdisc_idは、それぞれ、ネットワーク２を介してダウンロードされる（または、ローカルストレージ２４に記憶されているデータが、光ディスク２８からコピーされたデータである場合には、光ディスク２８からコピーされる）データのファイル管理情報（後述するManifestデータ）に含まれるか、または、光ディスクディレクトリ管理部３５により、光ディスク１１から検出される情報である。
【手続補正４１】
【補正対象書類名】明細書
【補正対象項目名】０２２７
【補正方法】変更
【補正の内容】
【０２２７】
ステップＳ１において、コントローラ２１の操作入力取得部３２は、操作入力部２９から供給される信号を基に、ユーザから、ファイルベース、すなわち、所定のdisc_idで示されるディレクトリに含まれるファイルの追加処理を開始する指令を受けたか否かを判断する。ステップＳ１において、ファイルの追加処理を開始する指令を受けていないと判断された場合、ファイルの追加処理を開始する指令を受けたと判断されるまで、ステップＳ１の処理が繰り返される。
【手続補正４２】
【補正対象書類名】明細書
【補正対象項目名】０２２８
【補正方法】変更
【補正の内容】
【０２２８】
ステップＳ１において、ファイルの追加処理を開始する指令を受けたと判断された場合、ステップＳ２において、コントローラ２１のローカルストレージディレクトリ管理部３４は、データ取得部３３を制御し、インターネットインタフェース２５およびネットワーク２を介してサーバ３にアクセスし、現在の仮想ファイルシステムの状態を示す情報、例えば、対応するManifest（）セクションのManifest_idを送信する。
【手続補正４３】
【補正対象書類名】明細書
【補正対象項目名】０２３０
【補正方法】変更
【補正の内容】
【０２３０】
ステップＳ３において、ダウンロード可能なファイルの一覧に対応する情報を受信できなかったと判断された場合、ステップＳ４において、メニュー画面表示制御部３１は、ファイルの追加処理が不可能であることをユーザに通知するためのエラーメッセージの表示を制御し、処理が終了される。
【手続補正４４】
【補正対象書類名】明細書
【補正対象項目名】０２３１
【補正方法】変更
【補正の内容】
【０２３１】
ステップＳ３において、ダウンロード可能なファイルの一覧に対応する情報を受信したと判断された場合、ステップＳ５において、データ取得部３３は、サーバ３から送信され、インターネットインタフェース２５により受信されたダウンロード可能なファイルの一覧に対応する情報を、メニュー画面表示制御部３１に供給する。メニュー画面表示制御部３１は、ダウンロード可能なファイルの一覧から、ユーザが所望のものを選択することができるようになされているメニュー画面を表示装置に表示させる。
【手続補正４５】
【補正対象書類名】明細書
【補正対象項目名】０２３２
【補正方法】変更
【補正の内容】
【０２３２】
ステップＳ６において、操作入力取得部３２は、メニュー画面表示制御部３１の処理により表示が制御されているメニュー画面のボタンまたはアイコンなどがユーザにより操作され、追加したい項目が選択されたか否かを判定する。ステップＳ６において、追加したい項目が選択されていないと判断された場合、選択されたと判断されるまで、ステップＳ６の処理が繰り返される。
【手続補正４６】
【補正対象書類名】明細書
【補正対象項目名】０２３３
【補正方法】変更
【補正の内容】
【０２３３】
ステップＳ６において、追加したい項目が選択されたと判断された場合、ステップＳ７において、操作入力取得部３２は、ユーザにより選択されたアップデートの内容を表す情報を、データ取得部３３に供給する。データ取得部３３は、インターネットインタフェース２５を制御し、要求するファイルを示す情報をサーバ３に送信させ、ユーザが選択したファイルのダウンロードを要求する。
【手続補正４７】
【補正対象書類名】明細書
【補正対象項目名】０２３４
【補正方法】変更
【補正の内容】
【０２３４】
ステップＳ８において、データ取得部３３は、インターネットインタフェース２５を制御し、サーバ３によりダウンロードファイルとして用意される、PlayListファイル、ClipInformationファイル、ClipAVストリームファイル、オーディオファイル、テキスト字幕ストリームファイル、または、フォントファイルなどをダウンロードさせ、これらのファイルがダウンロードされたことを、ローカルストレージディレクトリ管理部３４に通知する。
【手続補正４８】
【補正対象書類名】明細書
【補正対象項目名】０２３５
【補正方法】変更
【補正の内容】
【０２３５】
ステップＳ９において、ローカルストレージディレクトリ管理部３４は、ダウンロードされたファイルのManifest（）に含まれるauthor_idとdisc_idとに基づいて、それらのＩＤで識別されるディレクトリがローカルストレージ２４に既に存在するか否かを判断して、対応するディレクトリが既に存在する場合は、そのディレクトリにダウンロードされたデータファイルを展開し、対応するディレクトリが存在しない場合、author_idとdisc_idで指定される新たなディレクトリをローカルストレージ２４に作成し、ダウンロードされたデータファイルを展開する。
【手続補正４９】
【補正対象書類名】明細書
【補正対象項目名】０２４１
【補正方法】変更
【補正の内容】
【０２４１】
ステップＳ２１において、ローカルストレージディレクトリ管理部３４は、ローカルストレージ２４に記録されているダウンロードされたデータ群から、対応するdisc_idのディレクトリを抽出し、ファイルシステムマージ処理部３６に供給する。
【手続補正５０】
【補正対象書類名】明細書
【補正対象項目名】０２４８
【補正方法】変更
【補正の内容】
【０２４８】
ステップＳ４１において、コントローラ２１の操作入力取得部３２は、操作入力部２９から供給される信号を基に、ユーザから、ディスクベース、すなわち、ローカルストレージ２４に実際に記録されるデータのdisc_id以下のファイルの追加処理を開始する指令を受けたか否かを判断する。ステップＳ４１において、ファイルの追加処理を開始する指令を受けていないと判断された場合、ファイルの追加処理を開始する指令を受けたと判断されるまで、ステップＳ４１の処理が繰り返される。
【手続補正５１】
【補正対象書類名】明細書
【補正対象項目名】０２４９
【補正方法】変更
【補正の内容】
【０２４９】
ステップＳ４１において、ファイルの追加処理を開始する指令を受けたと判断された場合、ステップＳ４２において、コントローラ２１のローカルストレージディレクトリ管理部３４は、データ取得部３３を制御し、インターネットインタフェース２５およびネットワーク２を介してサーバ３にアクセスし、現在の仮想ファイルシステムの状態を示す情報、例えば、対応するdisc_id以下のManifest ファイルに含まれる全てのManifest（）セクションのManifest_idを送信する。
【手続補正５２】
【補正対象書類名】明細書
【補正対象項目名】０２５１
【補正方法】変更
【補正の内容】
【０２５１】
ステップＳ４３において、ダウンロード可能なディスクベースのファイルの一覧に対応する情報を受信できなかったと判断された場合、ステップＳ４４において、メニュー画面表示制御部３１は、ファイルの追加処理が不可能であることをユーザに通知するためのエラーメッセージの表示を制御し、処理が終了される。
【手続補正５３】
【補正対象書類名】明細書
【補正対象項目名】０２５２
【補正方法】変更
【補正の内容】
【０２５２】
ステップＳ４３において、ダウンロード可能なファイルの一覧に対応する情報を受信したと判断された場合、ステップＳ４５において、データ取得部３３は、サーバ３から送信され、インターネットインタフェース２５により受信されたダウンロード可能なディスクベースのファイルの一覧に対応する情報を、メニュー画面表示制御部３１に供給する。メニュー画面表示制御部３１は、ダウンロード可能なファイルの一覧から、ユーザが所望のものを選択することができるようになされているメニュー画面を表示装置に表示させる。
【手続補正５４】
【補正対象書類名】明細書
【補正対象項目名】０２５３
【補正方法】変更
【補正の内容】
【０２５３】
ステップＳ４６において、操作入力取得部３２は、メニュー画面表示制御部３１の処理により表示が制御されているメニュー画面のボタンまたはアイコンなどがユーザにより操作され、追加したい項目が選択されたか否かを判定する。ステップＳ４６において、追加したい項目が選択されていないと判断された場合、選択されたと判断されるまで、ステップＳ４６の処理が繰り返される。
【手続補正５５】
【補正対象書類名】明細書
【補正対象項目名】０２５４
【補正方法】変更
【補正の内容】
【０２５４】
ステップＳ４６において、追加したい項目が選択されたと判断された場合、ステップＳ４７において、操作入力取得部３２は、ユーザにより選択されたアップデートの内容を表す情報を、データ取得部３３に供給する。データ取得部３３は、インターネットインタフェース２５を制御し、要求するファイルを示す情報をサーバ３に送信させ、ユーザが選択したディスクベースのファイルのダウンロードを要求する。
【手続補正５６】
【補正対象書類名】明細書
【補正対象項目名】０２５５
【補正方法】変更
【補正の内容】
【０２５５】
ステップＳ４８において、データ取得部３３は、インターネットインタフェース２５を制御し、サーバ３によりダウンロードファイルとして用意されるディスクベースのファイル群をダウンロードさせ、ディスクベースのファイル群がダウンロードされたことを、ローカルストレージディレクトリ管理部３４に通知する。
【手続補正５７】
【補正対象書類名】明細書
【補正対象項目名】０２５６
【補正方法】変更
【補正の内容】
【０２５６】
ステップＳ４９において、ローカルストレージディレクトリ管理部３４は、ダウンロードされたファイルのManifest（）に含まれるauthor_idとdisc_idとに基づいて、それらのＩＤで識別されるディレクトリをローカルストレージ２４に作成し、ダウンロードされたディスクベースのデータを展開する。
【手続補正５８】
【補正対象書類名】明細書
【補正対象項目名】０２６１
【補正方法】変更
【補正の内容】
【０２６１】
また、図１９においては、ユーザによってファイルベースのダウンロードが指令された場合の処理を説明し、図２１においては、ユーザによってディスクベースのダウンロードが指令された場合の処理を説明したが、例えば、ユーザは、ファイルベースとディスクベースとを区別せずにファイルのダウンロード開始の指示を行うことができるようにしても良いことは言うまでもない。すなわち、サーバ３からダウンロードされるデータの形式がファイルベースであるかディスクベースであるかによって、ローカルストレージディレクトリ管理部３４によるローカルディスク２４へのダウンロードされたデータの展開方法を変更することができるようにしても良い。
【手続補正５９】
【補正対象書類名】明細書
【補正対象項目名】０２６３
【補正方法】変更
【補正の内容】
【０２６３】
ステップＳ１４１において、光ディスクディレクトリ管理部３５は、光ディスク１１が装着されたか否かを判断する。ステップＳ１４１において、光ディスク１１が装着されていないと判断された場合、光ディスク１１が装着されたと判断されるまで、ステップＳ１４１の処理が繰り返される。
【手続補正６０】
【補正対象書類名】明細書
【補正対象項目名】０２６４
【補正方法】変更
【補正の内容】
【０２６４】
ステップＳ１４１において、光ディスク１１が装着されていると判断された場合、ステップＳ１４２において、光ディスクディレクトリ管理部３５は、光ディスク１１からauthor_idとdisc_idを読み出し、読み出したauthor_idとdisc_idをローカルストレージディレクトリ管理部３４およびファイルシステムマージ処理部３６に供給する。
【手続補正６１】
【補正対象書類名】明細書
【補正対象項目名】０２６６
【補正方法】変更
【補正の内容】
【０２６６】
ステップＳ１４４において、再生制御部３７は、操作入力取得部３２から供給されるユーザの操作入力を基に、ユーザから、コンテンツの再生を指令する操作入力を受けたか否かを判断する。ステップＳ１４４において、コンテンツの再生を指令する操作入力を受けなかったと判断された場合、処理は、後述するステップＳ１４９に進む。
【手続補正６２】
【補正対象書類名】明細書
【補正対象項目名】０２６７
【補正方法】変更
【補正の内容】
【０２６７】
ステップＳ１４４において、コンテンツの再生を指令する操作入力を受けたと判断された場合、操作入力取得部３２は、ユーザの操作入力に対応する信号を、光ディスクディレクトリ管理部３５に供給し、光ディスクディレクトリ管理部３５は、光ディスク１１から読み出したauthor_idとdisc_idをローカルストレージディレクトリ管理部３４に出力するので、ステップＳ１４５において、図２０を用いて説明したバインディング処理が実行される。
【手続補正６３】
【補正対象書類名】明細書
【補正対象項目名】０２６８
【補正方法】変更
【補正の内容】
【０２６８】
ステップＳ１４６において、再生制御部３７は、ローカルストレージディレクトリ管理部３４および光ディスクディレクトリ管理部３５を制御して、ナビゲーションプログラムが再生区間として指定するPlayListとSubPlayItemを取得し、取得したPlayListとSubPlayItemが参照するストリームファイル（ＡＶファイル、オーディオファイル、テキスト字幕ファイルなど）を読み出させて、デコーダ２６に供給させる。ここでは、PlayListやSubPlayItemにより表されるタイムスタンプがClip informationによりアドレスに変換され、ＡＶストリームなどに対するアクセスが行われる。
【手続補正６４】
【補正対象書類名】明細書
【補正対象項目名】０２７０
【補正方法】変更
【補正の内容】
【０２７０】
ステップＳ１４８において、操作入力取得部３２は、再生タイトル（再生されるコンテンツ）の切り替えを指令する操作入力を受けたか否かを判断する。ステップＳ１４８において、再生タイトルの変更を指令する操作入力を受けていないと判断された場合、処理は、後述するステップＳ１４９に進む。
【手続補正６５】
【補正対象書類名】明細書
【補正対象項目名】０２７１
【補正方法】変更
【補正の内容】
【０２７１】
ステップＳ１４８において、再生タイトルの変更を指令する操作入力を受けたと判断された場合、操作入力取得部３２は、ユーザの操作入力に対応する信号を、光ディスクディレクトリ管理部３５に供給し、光ディスクディレクトリ管理部３５は、光ディスク１１から読み出したauthor_idとdisc_idをローカルストレージディレクトリ管理部３４に出力するので、処理は、ステップＳ１４５に戻り、それ以降の処理が繰り返される。
【手続補正６６】
【補正対象書類名】明細書
【補正対象項目名】０２７２
【補正方法】変更
【補正の内容】
【０２７２】
ステップＳ１４４において、コンテンツの再生を指令する操作入力を受けなかったと判断された場合、または、ステップＳ１４８において、再生タイトルの変更を指令する操作入力を受けていないと判断された場合、ステップＳ１４９において、操作入力取得部３２は、ユーザから、ファイルの追加が指令されたか否かを判断する。
【手続補正６７】
【補正対象書類名】明細書
【補正対象項目名】０２７３
【補正方法】変更
【補正の内容】
【０２７３】
ステップＳ１４９において、ファイルの追加が指令されたと判断された場合、ステップＳ１５０において、データ取得部３３、または、ローカルストレージディレクトリ管理部３４などは、例えば、図１９、および、図２１を用いて説明した様にして、ファイルを追加する処理を実行する。
【手続補正６８】
【補正対象書類名】明細書
【補正対象項目名】０２７５
【補正方法】変更
【補正の内容】
【０２７５】
ステップＳ１４９において、ファイルの追加が指令されていないと判断された場合、または、ステップＳ１５１の処理の終了後、ステップＳ１５２において、操作入力取得部３２は、仮想ファイルシステムの更新が指令されたか否かを判断する。
【手続補正６９】
【補正対象書類名】明細書
【補正対象項目名】０２７７
【補正方法】変更
【補正の内容】
【０２７７】
ステップＳ１５２において、仮想ファイルシステムの更新が指令されていないと判断された場合、または、ステップＳ１５３の処理の終了後、ステップＳ１５４において、操作入力取得部３２は、記録再生装置１の処理の終了（例えば、アプリケーションの終了や、記録再生装置１の電源のオフ）が指令されたか否かを判断する。